(57)【要約】【課題】この発明は、録画実行時にのみ録画のための映像信号を出力可能とし、録画実行時以外では出力される映像信号が録画に供されないようにした映像信号出力装置及び映像信号出力方法を提供することを目的とする。【解決手段】映像出力端子２８を介して録画機器１３に映像信号を出力する映像信号出力装置において、受信した放送から得られる映像信号を、録画予約された録画開始時刻に基づいて、スイッチ２７をオンして録画機器１３が接続される映像出力端子２８に出力させ、録画予約された録画終了時刻に基づいて、スイッチ２７をオフして映像出力端子２８に出力させることを停止させる。【選択図】    図２
2004363804.tif 000002
【特許請求の範囲】
【請求項１】
録画機器が接続される映像出力端子を備え、この映像出力端子を介して前記録画機器に映像信号を出力する映像信号出力装置において、
放送を受信する放送受信手段と、
この放送受信手段で受信される放送に対して録画予約を設定する録画予約設定手段と、
前記放送受信手段で受信された放送から映像信号を生成する映像信号生成手段と、
この映像信号生成手段で生成された映像信号を、前記録画予約された録画開始時刻に基づいて前記映像出力端子に出力させ、前記録画予約された録画終了時刻に基づいて前記映像出力端子に出力させることを停止させる制御手段とを具備したことを特徴とする映像信号出力装置。
【請求項２】
前記制御手段は、前記映像信号生成手段と前記映像出力端子との間に設けられ、前記映像信号生成手段で生成された映像信号を前記映像出力端子に供給または非供給状態に選択的に制御するスイッチを具備したことを特徴とする請求項１記載の映像信号出力装置。
【請求項３】
前記制御手段は、
録画開始を要求する操作が行なわれた状態で、前記映像信号生成手段で生成された映像信号を前記映像出力端子に出力する手段と、
前記録画開始を要求する操作が行なわれてから所定時間が経過した状態で、前記映像信号生成手段で生成された映像信号を前記映像出力端子に出力させることを停止させる手段とを具備したことを特徴とする請求項１または２記載の映像信号出力装置。
【請求項４】
前記映像出力端子の他に、前記映像信号生成手段で生成された映像信号を、映像表示用に出力するための映像信号出力端子を具備したことを特徴とする請求項１乃至３いずれかに記載の映像信号出力装置。
【請求項５】
前記録画予約設定手段は、日時及び番組のいずれか一方を指定することにより録画予約設定を行なうことを特徴とする請求項１乃至４いずれかに記載の映像信号出力装置。
【請求項６】
録画機器が接続される映像出力端子を備え、この映像出力端子を介して前記録画機器に映像信号を出力する映像信号出力装置において、
放送を受信する放送受信手段と、
この放送受信手段で受信される放送に対して録画予約を設定する録画予約設定手段と、
前記放送受信手段で受信された放送から映像信号を生成する映像信号生成手段と、
この映像信号生成手段で生成された映像信号を、前記録画予約された録画開始時刻に到達する所定時間前から前記映像出力端子に出力させ、前記録画予約された録画終了時刻に基づいて前記映像出力端子に出力させることを停止させる制御手段とを具備したことを特徴とする映像信号出力装置。
【請求項７】
前記制御手段は、前記所定時間を可変可能に構成されることを特徴とする請求項６記載の映像信号出力装置。
【請求項８】
録画機器が接続される映像出力端子を備え、この映像出力端子を介して前記録画機器に映像信号を出力する映像信号出力装置において、
放送を受信する放送受信手段と、
この放送受信手段で受信される放送に対して録画予約を設定する録画予約設定手段と、
前記放送受信手段で受信された放送から映像信号を生成する映像信号生成手段と、
この映像信号生成手段で生成された映像信号を、前記録画予約された録画開始時刻に基づいて前記映像出力端子に出力させ、前記録画予約された録画終了時刻に基づいて前記映像出力端子に出力させることを停止させるように制御するとともに、複数の録画予約が設定されている場合、先に録画が実行される録画予約に基づく録画終了時と、後に録画が実行される録画予約に基づく録画開始時との間に、前記映像信号生成手段で生成された映像信号を前記映像出力端子に出力させることを停止させる期間を設けるように制御する制御手段とを具備したことを特徴とする映像信号出力装置。
【請求項９】
前記制御手段は、先に録画が実行される録画予約に基づく録画終了時と、後に録画が実行される録画予約に基づく録画開始時とが、時間的に一致または近接している場合、先に録画が実行される録画予約に基づく録画終了時刻を繰り上げることにより、前記映像信号生成手段で生成された映像信号を前記映像出力端子に出力させることを停止させる期間を設けるようにすることを特徴とする請求項８記載の映像信号出力装置。
【請求項１０】
録画機器が接続される映像出力端子を備え、この映像出力端子を介して前記録画機器に映像信号を出力する映像信号出力装置において、
放送を受信する放送受信手段と、
この放送受信手段で受信される放送に対して録画予約を設定する録画予約設定手段と、
前記放送受信手段で受信された放送から映像信号を生成する映像信号生成手段と、
この映像信号生成手段で生成された映像信号を、前記録画予約された録画開始時刻に基づいて前記映像出力端子に出力させ、前記録画予約された録画終了時刻に基づいて前記映像出力端子に出力させることを停止させる制御手段と、
前記映像信号生成手段で生成された映像信号を映像表示する映像表示手段とを具備したことを特徴とする映像信号出力装置。
【請求項１１】
前記制御手段は、前記映像信号生成手段と前記映像出力端子との間に設けられ、前記映像信号生成手段で生成された映像信号を前記映像出力端子に供給または非供給状態に選択的に制御するスイッチを具備したことを特徴とする請求項１０記載の映像信号出力装置。
【請求項１２】
映像出力端子を介して録画機器に映像信号を出力する映像信号出力方法において、
放送を受信する工程と、
受信される放送に対して録画予約を設定する工程と、
受信された放送から映像信号を生成する工程と、
生成された映像信号を、前記録画予約された録画開始時刻に基づいて前記映像出力端子に出力させ、前記録画予約された録画終了時刻に基づいて前記映像出力端子に出力させることを停止させる工程とを具備したことを特徴とする映像信号出力方法。
【請求項１３】
録画開始を要求する操作が行なわれた状態で、前記映像信号生成手段で生成された映像信号を前記映像出力端子に出力する工程と、
前記録画開始を要求する操作が行なわれてから所定時間が経過した状態で、前記生成された映像信号を前記映像出力端子に出力させることを停止させる工程とを具備したことを特徴とする請求項１２記載の映像信号出力方法。
【発明の詳細な説明】
【０００１】
【発明の属する技術分野】
この発明は、例えば衛星デジタル放送等を受信して得られた映像信号を、外部接続された記録再生機器に出力する映像信号出力装置及び映像信号出力方法に関する。
【０００２】
【従来の技術】
周知のように、近年では、テレビジョン放送のデジタル化が推進されている。そして、日本国内においては、ＢＳ（Ｂｒｏａｄｃａｓｔｉｎｇ  Ｓａｔｅｌｌｉｔｅ）デジタル放送及び１１０度ＣＳ（Ｃｏｍｍｕｎｉｃａｔｉｏｎ  Ｓａｔｅｌｌｉｔｅ）デジタル放送等の衛星デジタル放送だけでなく、地上波デジタル放送も開始される運びとなっている。
【０００３】
そして、映像信号を記録媒体に対して記録再生する録画機器にあっても、現在では、地上波アナログ放送に対応したチューナだけでなく、ＢＳデジタル放送や１１０度ＣＳデジタル放送に対応したチューナを搭載したものが市販されてきている。
【０００４】
ところが、このようなデジタル放送に対応したチューナを搭載した録画機器はまだまだ少数であり、デジタル放送対応のチューナが未搭載である録画機器の方が、多数を占めているのが現状である。
【０００５】
このため、デジタル放送番組をデジタル放送未対応の録画機器で録画する場合には、デジタル放送受信機に録画機器を外部接続し、デジタル放送受信機の映像出力端から出力されるアナログ映像信号を、録画機器の映像入力端に供給して録画を行なうことになる。
【０００６】
ところで、このような録画手段では、録画予約を行なう場合に、デジタル放送受信機に対して所望の番組の予約設定を行ない、また、録画機器に対してもデジタル放送受信機で設定した番組予約に合わせた録画予約設定を行なう必要があるため、録画予約の操作が非常に煩雑になるという問題が生じている。
【０００７】
また、この問題に対処するために、映像入力端に供給された信号から映像信号の同期信号が検出されたとき、自動的に映像入力端に供給された信号の録画を開始する機能（入力自動録画機能）を持った録画機器も開発されている。
【０００８】
この機能を持つことにより、ユーザは、デジタル放送受信機に対してのみ所望の番組の予約設定を行ない、録画機器に対しては入力自動録画機能モードに設定するだけで録画予約操作を完了することができ、録画予約の操作を容易化することができる。
【０００９】
しかしながら、この入力自動録画機能による録画動作は、デジタル放送受信機から映像信号が出力されるか否かで制御されている。このため、デジタル放送受信機に番組の予約設定を行ない、録画機器を入力自動録画機能モードに設定した状態で、ユーザが、予約された番組と異なる時間帯に番組の視聴を行なうと、その視聴された番組の映像信号によって録画機器が駆動されてしまうという問題が生じる。
【００１０】
特許文献１には、予約情報が示す放送日、チャンネル、放送時間（録画時間）等を予約録がテーブルに記録しておき、この予約録画テーブルに記録された放送日及び録画時間と重なる自動録画予定の番組が自動録画テーブルに記録されているか否かを判別するようにした構成が開示されている。
【００１１】
また、特許文献２には、放送信号に付加される各種の番組情報を利用したタイマー録画予約設定を可能とすることにより、録画した同一番組を繰り返して連続録画するためのタイマー録画予約を簡易な操作で確実に行なえるようにした構成が開示されている。
【００１２】
さらに、特許文献３には、ハードディスク等のランダムアクセス可能な記録媒体に、放送される番組を予約して記録する構成が開示されている。
【００１３】
しかしながら、これらの特許文献１乃至３には、いずれも、上記したように、デジタル放送受信機に録画機器を外部接続して録画を行なう際に生じる諸問題を解決することについては、何らの記載もなされていないものである。
【００１４】
【特許文献１】
特開２００１−３５７６１５号公報
【００１５】
【特許文献２】
特開２００１−２５７９７４号公報
【００１６】
【特許文献３】
特開２００３−１１０９８２号公報
【００１７】
【発明が解決しようとする課題】
そこで、この発明は上記事情を考慮してなされたもので、録画実行時にのみ録画のための映像信号を出力可能とし、録画実行時以外では出力される映像信号が録画に供されないようにした映像信号出力装置及び映像信号出力方法を提供することを目的とする。
【００１８】
【課題を解決するための手段】
この発明に係る映像信号出力装置は、録画機器が接続される映像出力端子を備え、この映像出力端子を介して録画機器に映像信号を出力するものを対象としている。そして、放送を受信する放送受信手段と、この放送受信手段で受信される放送に対して録画予約を設定する録画予約設定手段と、放送受信手段で受信された放送から映像信号を生成する映像信号生成手段と、この映像信号生成手段で生成された映像信号を、録画予約された録画開始時刻に基づいて映像出力端子に出力させ、録画予約された録画終了時刻に基づいて映像出力端子に出力させることを停止させる制御手段とを備えるようにしたものである。
【００１９】
また、この発明に係る映像信号出力方法は、映像出力端子を介して録画機器に映像信号を出力する方法を対象としている。そして、放送を受信する工程と、受信される放送に対して録画予約を設定する工程と、受信された放送から映像信号を生成する工程と、生成された映像信号を、録画予約された録画開始時刻に基づいて映像出力端子に出力させ、録画予約された録画終了時刻に基づいて映像出力端子に出力させることを停止させる工程とを備えるようにしたものである。
【００２０】
上記のような構成及び方法によれば、映像信号を、録画予約された録画開始時刻に基づいて、録画機器が接続される映像出力端子に出力させ、録画予約された録画終了時刻に基づいて、映像出力端子に出力させることを停止させるようにしたので、録画実行時にのみ録画のための映像信号を出力可能とし、録画実行時以外では出力される映像信号が録画に供されないようにすることが可能となる。
【００２１】
【発明の実施の形態】
以下、この発明の実施の形態について、図面を参照して詳細に説明する。図１は、この実施の形態で説明するＢＳデジタル放送を受信して録画するシステムを概略的に示している。
【００２２】
すなわち、図１において、符号１１はＢＳデジタル放送を受信するデジタルテレビジョン受信機である。このデジタルテレビジョン受信機１１は、受信したＢＳデジタル放送から所望の番組を選局し、その番組に対応するアナログの映像信号及び音声信号を生成して、映像表示及び音声再生を行なっている。
【００２３】
また、このデジタルテレビジョン受信機１１は、生成されたアナログの映像信号及び音声信号を、それぞれケーブル１２ａ，１２ｂを介して録画機器であるＶＴＲ（Ｖｉｄｅｏ  Ｔａｐｅ  Ｒｅｃｏｒｄｅｒ）１３に出力し、その磁気テープ１３ａに記録させることができる。なお、このＶＴＲ１３は、入力自動録画機能を搭載している。
【００２４】
図２は、上記デジタルテレビジョン受信機１１の信号処理系を示している。すなわち、衛星アンテナ１４で受信されたＢＳデジタル放送信号は、チューナ１５に供給されて所定の伝送チャンネルが選局された後、エラー訂正回路１６に出力される。
【００２５】
このエラー訂正回路１６は、チューナ１５から出力された受信信号に復調処理を施し、エラー訂正処理を行なった後、スクランブル制御回路１７に出力している。
【００２６】
このスクランブル制御回路１７は、入力された受信信号にスクランブル処理が施されている場合、そのスクランブルを解除するデスクランブル処理を施して、多重データ分離回路１８に出力する。この場合、スクランブル制御回路１７から多重データ分離回路１８に供給されるデータは、複数のチャンネル及び番組のデータを含む多重データである。
【００２７】
この多重データ分離回路１８は、受信信号のビットストリームに含まれる識別情報ＩＤに基づいてパケットを分離している。そして、この多重データ分離回路１８は、ＳＩ（Ｓｅｒｖｉｃｅ  Ｉｎｆｏｒｍａｔｉｏｎ）情報の番組情報を分離すると、これらの番組情報をコントロール制御回路１９に供給するとともに、パケット毎の映像信号についてはＭＰＥＧ（Ｍｏｖｉｎｇ  Ｐｉｃｔｕｒｅ  Ｅｘｐｅｒｔｓ  Ｇｒｏｕｐ）映像再生回路２０に供給し、音声信号についてはＭＰＥＧ音声再生回路２１に供給する。
【００２８】
このＭＰＥＧ映像再生回路２０は、入力された映像信号が圧縮符号化されたものであるため、この圧縮符号化データにデコード処理を施し、アナログの映像信号にしてＯＳＤ（Ｏｎ  Ｓｃｒｅｅｎ  Ｄｉｓｐｌａｙ）回路２２に出力している。
【００２９】
また、上記コントロール制御回路１９は、多重データ分離回路１８から取得したＳＩ情報に基づいて表示に要求されるＯＳＤ信号を生成し、ＯＳＤ回路２２に出力している。
【００３０】
そして、このＯＳＤ回路２２は、ＭＰＥＧ映像再生回路２０から供給された映像信号と、コントロール制御回路１９から供給されたＯＳＤ信号とを重畳して、スイッチ２３に出力している。
【００３１】
また、上記ＭＰＥＧ音声再生回路２１は、入力された音声信号が圧縮符号化されたものであるため、この音声信号にデコード処理を施し、デコード処理後のアナログの音声信号をスイッチ２４に出力している。
【００３２】
これらのスイッチ２３，２４は、上記コントロール制御回路１９の制御に基づいて、共に連動してオン状態またはオフ状態に切り替えられる。そして、スイッチ２３，２４がオン状態に切り替えられたとき、ＯＳＤ回路２２から出力された映像信号がＣＲＴ（Ｃａｔｈｏｄｅ  Ｒａｙ  Ｔｕｂｅ）２５に供給されて映像表示されるとともに、ＭＰＥＧ音声再生回路２１から出力された音声信号がスピーカ２６に供給されて音声再生される。
【００３３】
また、スイッチ２３，２４がオフ状態に切り替えられたときには、ＯＳＤ回路２２からは映像信号が出力され、ＭＰＥＧ音声再生回路２１からは音声信号が出力されるが、ＣＲＴ２５による映像表示及びスピーカ２６による音声再生は行なわれないという、待機状態を実現することができる。
【００３４】
ここで、上記ＭＰＥＧ映像再生回路２０から出力される映像信号は、スイッチ２７を介して録画用の映像出力端子２８に供給されるようになっている。また、上記ＭＰＥＧ音声再生回路２１から出力される音声信号は、スイッチ２９を介して録画用の音声出力端子３０に供給されるようになっている。
【００３５】
これらのスイッチ２７，２９は、上記コントロール制御回路１９の制御に基づいて、共に連動してオン状態またはオフ状態に切り替えられる。そして、上記映像出力端子２８及び音声出力端子３０は、前述したケーブル１２ａ，１２ｂを介してＶＴＲ１３の映像及び音声入力端子に接続されている。
【００３６】
これにより、ＭＰＥＧ映像再生回路２０及びＭＰＥＧ音声再生回路２１から出力される映像信号及び音声信号を、ＣＲＴ２５及びスピーカ２６による視聴とは無関係に、ＶＴＲ１３に対して供給または非供給するように制御することができる。
【００３７】
そして、スイッチ２７，２９がオン状態に切り替えられ、ＭＰＥＧ映像再生回路２０及びＭＰＥＧ音声再生回路２１から出力される映像信号及び音声信号がＶＴＲ１３に供給されると、ＶＴＲ１３は、入力された映像信号から同期信号を検出して自動的に映像信号及び音声信号の録画を開始する。
【００３８】
ここで、このデジタルテレビジョン受信機１１は、その全ての動作を、コントロール制御回路１９によって統括的に制御されている。このコントロール制御回路１９は、図示しないＣＰＵ（Ｃｅｎｔｒａｌ  Ｐｒｏｃｅｓｓｉｎｇ  Ｕｎｉｔ）を内蔵しており、リモートコントローラ３１から送出される操作情報を受信し、その操作内容が反映されるように、各回路部をそれぞれ制御している。
【００３９】
図３は、このデジタルテレビジョン受信機１１において、日時を指定することによる予約の設定動作を示している。まず、処理が開始（ステップＳ１）されると、ステップＳ２で、ユーザがリモートコントローラ３１を操作して日時指定による予約設定を要求する。
【００４０】
すると、コントロール制御回路１９は、ステップＳ３で、ＣＲＴ２５にチャンネル設定画面を表示させる。このチャンネル設定画面には、図４に示すように、チャンネルに関する複数の項目が表示されている。そして、ユーザは、リモートコントローラ３１を操作して、予約するチャンネルを、表示されている項目の中からカーソルで選択し決定する。
【００４１】
チャンネルの設定が完了すると、コントロール制御回路１９は、ステップＳ４で、ＣＲＴ２５に開始・終了時刻設定画面を表示させる。この開始・終了時刻設定画面には、図５に示すように、予約する日、開始時刻及び終了時刻等の項目が表示されている。そして、ユーザは、リモートコントローラ３１を操作して各項目についての入力を実行する。
【００４２】
その後、コントロール制御回路１９は、ステップＳ５で、ＣＲＴ２５に予約選択画面を表示させる。この予約選択画面には、図６に示すように、録画予約か視聴予約かを示す項目が表示されている。そして、ユーザは、リモートコントローラ３１を操作して、希望する予約形態を、表示されている項目の中からカーソルで選択し決定する。
【００４３】
そして、コントロール制御回路１９は、ステップＳ６で、録画予約が選択されたか否かを判別し、選択されないと判断された場合（ＮＯ）、視聴予約であると判断し、ステップＳ７で、視聴予約の設定が完了したことをＣＲＴ２５に表示させて、処理を終了（ステップＳ１０）する。
【００４４】
また、ステップＳ６で録画予約が選択されたと判断された場合（ＹＥＳ）、コントロール制御回路１９は、ステップＳ８で、ＣＲＴ２５に録画予約設定画面を表示させる。この録画予約設定画面には、図７に示すように、録画予約をするかしないかを選択する項目や、録画を行なう機器を指定する項目等、録画に必要な種々の項目が表示されている。
【００４５】
そして、ユーザが、リモートコントローラ３１を操作して、録画予約設定画面の必要な項目を入力すると、コントロール制御回路１９は、ステップＳ９で、録画予約の設定が完了したことをＣＲＴ２５に表示させて、処理を終了（ステップＳ１０）する。
【００４６】
また、このデジタルテレビジョン受信機１１では、常時、スイッチ２７，２９をオン状態にして、アナログの映像信号及び音声信号を映像出力端子２８及び音声出力端子３０から外部に出力する常時出力モードと、録画実行時にだけスイッチ２７，２９をオン状態にして、アナログの映像信号及び音声信号を映像出力端子２８及び音声出力端子３０から外部に出力する録画出力モードとを切り替え可能となっている。
【００４７】
このモード切り替えは、ユーザがリモートコントローラ３１を操作してモード切り替えを要求することにより行なわれる。モード切り替えが要求されると、コントロール制御回路１９は、ＣＲＴ２５にモード切り替え画面を表示させる。
【００４８】
このモード切り替え画面には、図８に示すように、録画実行時のみアナログ信号出力端子（つまり、映像出力端子２８及び音声出力端子３０）から信号を出力する設定、つまり、録画出力モードに設定するかしないかに対応する項目が表示されている。
【００４９】
そして、ユーザは、リモートコントローラ３１を操作して、所望の項目をカーソルで選択し決定することにより、常時出力モードと録画出力モードとを切り替えることができる。
【００５０】
図９は、デジタルテレビジョン受信機１１に対して、日時指定による録画予約が設定され、かつ、録画出力モードが設定されている場合の動作を示している。まず、処理が開始（ステップＳ１１）され、ステップＳ１２で、ユーザがデジタルテレビジョン受信機１１の電源を投入する。
【００５１】
すると、コントロール制御回路１９は、各回路部を受信状態に制御し、受信された番組の映像信号及び音声信号が、ＣＲＴ２５及びスピーカ２６に供給されて視聴に供される。
【００５２】
このとき、まだ、録画予約開始時刻に達していないとすれば、コントロール制御回路１９は、スイッチ２７，２９をオフ状態に制御し、映像信号及び音声信号がＶＴＲ１３に供給されず、録画が行なわれないように制御する。
【００５３】
このような受信状態で、コントロール制御回路１９は、ステップＳ１３で、録画予約開始時刻に達したか否かを判別し、達したと判断された場合（ＹＥＳ）、ステップＳ１４で、スイッチ２７，２９をオン状態に制御し、映像信号及び音声信号をＶＴＲ１３に供給して録画が実行されるように制御する。
【００５４】
このような録画状態で、コントロール制御回路１９は、ステップＳ１５で、録画予約終了時刻に達したか否かを判別し、達したと判断された場合（ＹＥＳ）、ステップＳ１６で、スイッチ２７，２９をオフ状態に制御し、映像信号及び音声信号をＶＴＲ１３に供給させないようにしてＶＴＲ１３を停止させ、ここに、録画予約による録画動作が終了（ステップＳ１７）される。
【００５５】
図１０は、このような録画予約による、デジタルテレビジョン受信機１１側の録画動作とＶＴＲ１３側の録画動作とをそれぞれ説明するタイミング図である。図１０（ａ）は録画予約時間帯を示し、同図（ｂ）はデジタルテレビジョン受信機１１の動作を示し、同図（ｃ）はＶＴＲ１３の動作を示している。
【００５６】
まず、図１０（ａ）に示すように、録画予約開始時刻をＴ１、録画予約終了時刻をＴ２として録画予約が設定されている場合、時刻Ｔ１以前では、図１０（ｂ）に示すように、デジタルテレビジョン受信機１１は、そのスイッチ２７，２９がオフ状態に切り替えられており、映像及び音声出力端子２８，３０から映像及び音声信号が出力されないように制御されている。このため、時刻Ｔ１以前では、図１０（ｃ）に示すように、ＶＴＲ１３は、映像信号が供給されないので録画動作を行なわず、録画停止状態に制御される。
【００５７】
なお、この時刻Ｔ１以前の状態では、デジタルテレビジョン受信機１１で任意のチャンネルの放送を受信し、番組の映像信号及び音声信号をＣＲＴ２５及びスピーカ２６を介して視聴することは可能である。
【００５８】
そして、録画予約開始時刻Ｔ１に達すると、図１０（ｂ）に示すように、デジタルテレビジョン受信機１１は、そのスイッチ２７，２９がオン状態に切り替えられて、録画予約されたチャンネルの映像及び音声信号が、映像及び音声出力端子２８，３０から出力されるようになる。このため、時刻Ｔ１以降では、図１０（ｃ）に示すように、ＶＴＲ１３は、映像信号が供給されその同期信号が検出されるので、入力自動録画機能により録画実行状態に制御される。
【００５９】
なお、この録画予約開始時刻Ｔ１に達した状態では、録画予約されたチャンネルの映像信号及び音声信号を、ＣＲＴ２５及びスピーカ２６を介して視聴することが可能となる。
【００６０】
その後、録画予約終了時刻Ｔ２に達すると、図１０（ｂ）に示すように、デジタルテレビジョン受信機１１は、そのスイッチ２７，２９がオフ状態に切り替えられ、映像及び音声出力端子２８，３０から映像及び音声信号が出力されないように制御される。このため、時刻Ｔ２以降では、図１０（ｃ）に示すように、ＶＴＲ１３は、映像信号が供給されないので録画動作を行なわず、録画停止状態に制御される。
【００６１】
上記した実施の形態によれば、設定された録画予約による録画実行時にだけ、スイッチ２７，２９をオン状態にして、アナログの映像及び音声信号を映像及び音声出力端子２８，３０からＶＴＲ１３に出力して録画を行なわせるようにしている。
【００６２】
このため、デジタルテレビジョン受信機１１の電源が投入され受信状態になっても、その受信された番組の映像及び音声信号が無条件にＶＴＲ１３に出力されてしまうという不都合がなくなり、実用に適した録画動作を行なわせることが可能となる。
【００６３】
図１１は、このデジタルテレビジョン受信機１１において、番組を指定することによる予約の設定動作を示している。まず、処理が開始（ステップＳ１８）されると、ステップＳ１９で、ユーザがリモートコントローラ３１を操作して番組指定による予約設定を要求する。
【００６４】
すると、コントロール制御回路１９は、ステップＳ２０で、ＣＲＴ２５に番組選択画面を表示させる。この番組選択画面には、図１２に示すように、ＳＩ情報に基づいた番組表が表示される。そして、ユーザは、リモートコントローラ３１を操作して、予約する番組を番組表の中から選択し決定する。
【００６５】
その後、コントロール制御回路１９は、ステップＳ２１で、ＣＲＴ２５に予約選択画面を表示させる。この予約選択画面には、図１３に示すように、録画予約か視聴予約かを示す項目が表示されている。そして、ユーザは、リモートコントローラ３１を操作して、希望する予約形態を、表示されている項目の中からカーソルで選択し決定する。
【００６６】
そして、コントロール制御回路１９は、ステップＳ２２で、録画予約が選択されたか否かを判別し、選択されないと判断された場合（ＮＯ）、視聴予約であると判断し、ステップＳ２３で、視聴予約の設定が完了したことをＣＲＴ２５に表示させて、処理を終了（ステップＳ２６）する。
【００６７】
また、ステップＳ２２で録画予約が選択されたと判断された場合（ＹＥＳ）、コントロール制御回路１９は、ステップＳ２４で、ＣＲＴ２５に録画予約設定画面を表示させる。この録画予約設定画面には、図１４に示すように、録画予約をするかしないかを選択する項目や、録画を行なう機器を指定する項目等、録画に必要な種々の項目が表示されている。
【００６８】
そして、ユーザが、リモートコントローラ３１を操作して、録画予約設定画面の必要な項目を入力すると、コントロール制御回路１９は、ステップＳ２５で、録画予約の設定が完了したことをＣＲＴ２５に表示させて、処理を終了（ステップＳ２６）する。
【００６９】
このような番組指定による録画予約が設定されている状態においても、デジタルテレビジョン受信機１１が、先に図９で説明した実用的な録画動作を行なうことができることはもちろんである。
【００７０】
図１５は、上記した録画予約による、デジタルテレビジョン受信機１１側の録画動作とＶＴＲ１３側の録画動作とを、それぞれより詳細に説明するタイミング図である。図１５（ａ）は録画予約された番組を示し、同図（ｂ）はデジタルテレビジョン受信機１１の動作を示し、同図（ｃ）はＶＴＲ１３の動作を示している。
【００７１】
まず、予約録画の開始時の動作について説明する。すなわち、図１５（ａ）に示すように、録画予約されている番組Ａの録画予約開始時刻Ｔ５以前では、図１５（ｂ）に示すように、デジタルテレビジョン受信機１１は、そのスイッチ２７，２９がオフ状態に切り替えられており、映像及び音声出力端子２８，３０から映像及び音声信号が出力されないように制御されている。このため、時刻Ｔ５以前では、図１５（ｃ）に示すように、ＶＴＲ１３は、映像信号が供給されないので録画動作を行なわず、録画停止状態に制御される。
【００７２】
そして、録画予約開始時刻Ｔ５よりも、予め設定された時間ｔ１だけ早い時刻Ｔ３に達したとき、図１５（ｂ）に示すように、デジタルテレビジョン受信機１１は、そのスイッチ２７，２９がオン状態に切り替えられて、録画予約されたチャンネルの映像及び音声信号が、映像及び音声出力端子２８，３０から出力されるようになる。
【００７３】
その後、時刻Ｔ３から予め設定された所定時間ｔ２が経過した時刻であって、しかも、録画予約開始時刻Ｔ５を過ぎない時刻Ｔ４で、図１５（ｃ）に示すように、ＶＴＲ１３は、映像信号が供給されその同期信号が検出されるので、入力自動録画機能により録画実行状態に制御され、時刻Ｔ５では安定な録画動作状態となって録画予約された番組Ａが録画される。
【００７４】
このように、録画予約開始時刻Ｔ５よりも所定時間ｔ１だけ早い時刻Ｔ３で、デジタルテレビジョン受信機１１から映像及び音声信号を出力することにより、実際の録画予約開始時刻Ｔ５に到達したときには、録画停止状態であったＶＴＲ１３が安定な録画動作状態になっており、信頼性の高い録画を行なうことが可能となる。
【００７５】
ここで、録画予約開始時刻Ｔ５からどれだけ早い時刻Ｔ３でデジタルテレビジョン受信機１１から映像及び音声信号を出力させるかは、接続されている録画機器によって異なる。つまり、録画機器によって、映像及び音声信号が供給されてから、安定な録画動作状態に達するまでの時間が異なるからである。
【００７６】
このため、リモートコントローラ３１の操作によって、ＣＲＴ２５に録画機器種類選択画面を表示させ、現在接続されている録画機器の種類を入力させるようにしてもよい。この録画機器種類選択画面には、図１６に示すように、ＶＴＲ、光ディスクレコーダ、ハードディスクドライブ等のように、録画機器の種類を示す項目が表示されている。
【００７７】
そして、ユーザは、リモートコントローラ３１を操作して、現在接続されている録画機器の種類を、表示されている項目の中からカーソルで選択し決定する。これにより、コントロール制御回路１９は、接続されている録画機器の種別に対応した時間ｔ１を設定することができる。
【００７８】
次に、時間的に連続する番組Ａ，Ｂがそれぞれ録画予約されている場合について説明する。ここでは、番組Ａの録画予約終了時刻Ｔ９が番組Ｂの録画予約開始時刻と一致している場合を説明するが、番組Ａの録画予約終了時刻が番組Ｂの録画予約開始時刻と時間的に近接している場合でも、同様な動作が行なわれる。
【００７９】
このような場合、番組Ａの録画予約終了時刻Ｔ９（番組Ｂの録画予約開始時刻でもある）よりも、予め設定された時間ｔ３だけ繰り上げた時刻Ｔ６に達したとき、図１５（ｂ）に示すように、デジタルテレビジョン受信機１１は、そのスイッチ２７，２９がオフ状態に切り替えられて、映像及び音声出力端子２８，３０から映像及び音声信号が出力されないように制御される。このため、時刻Ｔ６以降、図１５（ｃ）に示すように、ＶＴＲ１３は、映像信号が供給されないので録画動作を行なわず、録画停止状態に制御される。
【００８０】
そして、番組Ｂの録画予約開始時刻Ｔ９よりも、予め設定された時間ｔ１だけ早い時刻Ｔ７に達したとき、図１５（ｂ）に示すように、デジタルテレビジョン受信機１１は、そのスイッチ２７，２９がオン状態に切り替えられて、録画予約されたチャンネルの映像及び音声信号が、映像及び音声出力端子２８，３０から出力されるようになる。
【００８１】
その後、時刻Ｔ７から予め設定された所定時間ｔ２が経過した時刻であって、しかも、録画予約開始時刻Ｔ９を過ぎない時刻Ｔ８で、図１５（ｃ）に示すように、ＶＴＲ１３は、映像信号が供給されその同期信号が検出されるので、入力自動録画機能により録画実行状態に制御され、時刻Ｔ９では安定な録画動作状態となって録画予約された番組Ｂが録画される。
【００８２】
そして、番組Ｂの録画予約終了時刻Ｔ１０に達すると、図１５（ｂ）に示すように、デジタルテレビジョン受信機１１は、そのスイッチ２７，２９がオフ状態に切り替えられ、映像及び音声出力端子２８，３０から映像及び音声信号が出力されないように制御される。このため、時刻Ｔ１０以降では、図１５（ｃ）に示すように、ＶＴＲ１３は、映像信号が供給されないので録画動作を行なわず、録画停止状態に制御される。
【００８３】
このように、時間的に連続する番組Ａ，Ｂがそれぞれ録画予約されている場合には、まず、先に録画している番組Ａの録画を、その録画予約終了時刻Ｔ９よりも所定時間ｔ３だけ早い時刻Ｔ６で終了させる。その後、次に録画すべきの番組Ｂの録画予約開始時刻Ｔ９よりも所定時間ｔ１だけ早い時刻Ｔ７で、デジタルテレビジョン受信機１１から映像及び音声信号を出力して番組Ｂに対する録画を行なわせる。
【００８４】
すなわち、時間的に連続する番組Ａと番組Ｂとを録画予約によって録画する際には、デジタルテレビジョン受信機１１のスイッチ２７，２９を一旦オフ状態に切り替え、映像及び音声出力端子２８，３０から映像及び音声信号が出力されない期間を設けるようにしている。これにより、録画機器は、番組Ａと番組Ｂとを別ファイルとして認識し管理することが可能となる。
【００８５】
つまり、ＭＰＥＧ映像及び音声再生回路２０，２１から出力される映像及び音声信号を、スイッチ２７，２９によってオンオフするだけの簡単な制御なので、図１５で説明した各種の制御を容易に実現することが可能であり、実用に非常に適するものとなる。
【００８６】
以上に録画予約が設定されている場合の録画動作について説明したが、次に、録画予約が設定されていない場合の録画動作について説明する。すなわち、これは、現在視聴中の番組を録画する場合の動作である。
【００８７】
図１７は、このデジタルテレビジョン受信機１１において現在視聴中の番組を録画するときの動作を示している。まず、処理が開始（ステップＳ２７）されると、ステップＳ２８で、ユーザがリモートコントローラ３１を操作して、現在視聴中の番組に対して録画を要求する。
【００８８】
すると、コントロール制御回路１９は、ステップＳ２９で、ＣＲＴ２５に録画設定画面を表示させる。この録画設定画面には、図１８に示すように、録画予約をするかしないかを選択する項目や、録画を行なう機器を指定する項目等、録画に必要な種々の項目が表示されている。
【００８９】
そして、ユーザが、リモートコントローラ３１を操作して、録画設定画面の必要な項目を入力すると、コントロール制御回路１９は、ステップＳ３０で、スイッチ２７，２９をオン状態に制御し、映像信号及び音声信号をＶＴＲ１３に供給して録画を実行させて、処理を終了（ステップＳ３１）する。
【００９０】
なお、この録画設定画面による録画要求は、録画が要求されてから予め設定された所定時間だけ録画が継続されるもので、いわゆる一発録画と称される機能を実現している。
【００９１】
図１９は、デジタルテレビジョン受信機１１が録画出力モードに設定されている状態で、視聴中の番組の録画が要求された場合の動作を示している。まず、処理が開始（ステップＳ３２）され、ステップＳ３３で、ユーザがデジタルテレビジョン受信機１１の電源を投入する。
【００９２】
すると、コントロール制御回路１９は、各回路部を受信状態に制御し、受信された番組の映像信号及び音声信号が、ＣＲＴ２５及びスピーカ２６に供給されて視聴に供される。
【００９３】
このとき、まだ、ユーザからの録画要求が発生されていないとすれば、コントロール制御回路１９は、スイッチ２７，２９をオフ状態に制御し、映像信号及び音声信号がＶＴＲ１３に供給されず、録画が行なわれないように制御する。
【００９４】
このような受信状態で、コントロール制御回路１９は、ステップＳ３４で、ユーザからの録画要求を受けると、ステップＳ３５で、スイッチ２７，２９をオン状態に制御し、映像信号及び音声信号をＶＴＲ１３に供給して録画が実行されるように制御する。
【００９５】
このような録画状態で、コントロール制御回路１９は、ステップＳ３６で、録画終了時刻に達したか否かを判別し、達したと判断された場合（ＹＥＳ）、ステップＳ３７で、スイッチ２７，２９をオフ状態に制御し、映像信号及び音声信号をＶＴＲ１３に供給させないようにしてＶＴＲ１３を停止させ、ここに、視聴中番組に対する録画動作が終了（ステップＳ３８）される。
【００９６】
図２０は、このような一発録画による、デジタルテレビジョン受信機１１側の録画動作とＶＴＲ１３側の録画動作とをそれぞれ説明するタイミング図である。図２０（ａ）は受信チャンネルを示し、同図（ｂ）はデジタルテレビジョン受信機１１の動作を示し、同図（ｃ）はＶＴＲ１３の動作を示している。
【００９７】
まず、録画が要求される時刻Ｔ１１以前では、図２０（ｂ）に示すように、デジタルテレビジョン受信機１１は、そのスイッチ２７，２９がオフ状態に切り替えられており、映像及び音声出力端子２８，３０から映像及び音声信号が出力されないように制御されている。このため、時刻Ｔ１１以前では、図２０（ｃ）に示すように、ＶＴＲ１３は、映像信号が供給されないので録画動作を行なわず、録画停止状態に制御される。
【００９８】
そして、時刻Ｔ１１で録画が要求されると、図２０（ａ）に示すように、受信チャンネルが時刻Ｔ１１の直前に設定されていたチャンネルに固定される。また、図２０（ｂ）に示すように、デジタルテレビジョン受信機１１は、そのスイッチ２７，２９がオン状態に切り替えられて、録画予約されたチャンネルの映像及び音声信号が、映像及び音声出力端子２８，３０から出力されるようになる。このため、時刻Ｔ１１以降では、図２０（ｃ）に示すように、ＶＴＲ１３は、映像信号が供給されその同期信号が検出されるので、入力自動録画機能により録画実行状態に制御される。
【００９９】
その後、録画終了時刻Ｔ１２に達すると、図２０（ａ）に示すように、受信チャンネルの固定が解除される。また、図２０（ｂ）に示すように、デジタルテレビジョン受信機１１は、そのスイッチ２７，２９がオフ状態に切り替えられ、映像及び音声出力端子２８，３０から映像及び音声信号が出力されないように制御される。このため、時刻Ｔ１２以降では、図２０（ｃ）に示すように、ＶＴＲ１３は、映像信号が供給されないので録画動作を行なわずに、録画停止状態に制御されることになる。
【０１００】
図２１乃至図２３は、それぞれ、上記した実施の形態の変形例を示している。まず、図２１は、上記デジタルテレビジョン受信機１１に代えてＳＴＢ（Ｓｅｔ  Ｔｏｐ  Ｂｏｘ）を使用した場合を示している。
【０１０１】
図２１において、図２と同一部分に同一符号を付して説明すると、このＳＴＢは、ＯＳＤ回路２２から出力された映像信号を、モニタ用の映像出力端子３２を介して外部に出力可能となっている。また、このＳＴＢは、ＭＰＥＧ音声再生回路２１から出力された音声信号を、モニタ用の音声出力端子３３を介して外部に出力可能となっている。
【０１０２】
そして、映像出力端子３２には、モニタ３４を接続して、出力された映像信号を映像表示することができる。また、音声出力端子３３には、スピーカ３５を接続して、出力された音声信号を音声再生することができる。
【０１０３】
このようなＳＴＢにおいても、モニタ用の映像及び音声出力端子３２，３３からの映像及び音声信号の出力に無関係に、設定された録画予約による録画実行時にだけ、スイッチ２７，２９をオン状態にして、アナログの映像及び音声信号を映像及び音声出力端子２８，３０からＶＴＲ１３に出力して録画を行なわせることができる。
【０１０４】
また、図２２は、上記デジタルテレビジョン受信機１１がＨＤＤ（Ｈａｒｄ  Ｄｉｓｋ  Ｄｒｉｖｅ）３６を備え、受信した番組の映像及び音声信号をハードディスク３６ａに対して記録再生する機能を備えている。
【０１０５】
そして、このデジタルテレビジョン受信機１１は、受信した番組の映像及び音声信号を、録画実行時にＶＴＲ１３に出力して録画させることができるだけでなく、ハードディスク３６ａから読み取った映像及び音声信号も、録画実行時にＶＴＲ１３に出力して録画させることができる。
【０１０６】
なお、録画実行時以外にハードディスク３６ａから読み取った映像及び音声信号は、ＶＴＲ１３に出力されることはないが、ＣＲＴ２５及びスピーカ２６を介して視聴に供することはできる。
【０１０７】
また、図２３は、上記デジタルテレビジョン受信機１１に代えて、ディスク記録再生装置３７を使用した例を示している。このディスク記録再生装置３７は、例えば書き換え可能なＤＶＤ（Ｄｉｇｉｔａｌ  Ｖｅｒｓａｔｉｌｅ  Ｄｉｓｋ）等の光ディスク３８が装着され、この光ディスク３８に対して映像及び音声信号の記録再生を行なうものである。
【０１０８】
さらに、このディスク記録再生装置３７は、ＨＤＤ３９を備え、映像及び音声信号をハードディスク３９ａに対して記録再生する機能を備えている。また、このディスク記録再生装置３７は、光ディスク３８とハードディスク３９ａとの間のデータ転送も可能である。
【０１０９】
そして、このディスク記録再生装置３７は、光ディスク３８から読み取った映像及び音声信号を、録画実行時にＶＴＲ１３に出力して録画させることができるだけでなく、ハードディスク３９ａから読み取った映像及び音声信号も、録画実行時にＶＴＲ１３に出力して録画させることができる。
【０１１０】
また、録画機器としても、入力自動録画機能を備えていれば、ＶＴＲ１３に限らず、ディスクや半導体メモリ等を記録媒体として用いるものを任意選択的に使用することができる。
【０１１１】
なお、この発明は上記した実施の形態そのままに限定されるものではなく、実施段階ではその要旨を逸脱しない範囲で構成要素を種々変形して具体化することができる。
【０１１２】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【０１１３】
【発明の効果】
以上詳述したようにこの発明によれば、録画実行時にのみ録画のための映像信号を出力可能とし、録画実行時以外では出力される映像信号が録画に供されないようにした映像信号出力装置及び映像信号出力方法を提供することができる。
【図面の簡単な説明】
【図１】この発明の実施の形態を示すもので、ＢＳデジタル放送を受信して録画するシステムを説明するために示すブロック構成図。
【図２】同実施の形態におけるデジタルテレビジョン受信機の信号処理系を説明するために示すブロック構成図。
【図３】同デジタルテレビジョン受信機における日時指定による予約の設定動作を説明するために示すフローチャート。
【図４】同予約設定動作におけるチャンネル設定画面の一例を説明するために示す図。
【図５】同予約設定動作における開始・終了時刻設定画面の一例を説明するために示す図。
【図６】同予約設定動作における予約選択画面の一例を説明するために示す図。
【図７】同予約設定動作における録画予約設定画面の一例を説明するために示す図。
【図８】同デジタルテレビジョン受信機におけるモード切り替え画面の一例を説明するために示す図。
【図９】同デジタルテレビジョン受信機における録画予約に基づく録画動作を説明するために示すフローチャート。
【図１０】同デジタルテレビジョン受信機における録画予約に基づく録画動作を説明するために示すタイミング図。
【図１１】同デジタルテレビジョン受信機における番組指定による予約の設定動作を説明するために示すフローチャート。
【図１２】同予約設定動作における番組選択画面の一例を説明するために示す図。
【図１３】同予約設定動作における予約選択画面の一例を説明するために示す図。
【図１４】同予約設定動作における録画予約設定画面の一例を説明するために示す図。
【図１５】同デジタルテレビジョン受信機における録画予約に基づくより詳細な録画動作を説明するために示すタイミング図。
【図１６】同録画動作における録画機器種類選択画面の一例を説明するために示す図。
【図１７】同デジタルテレビジョン受信機における視聴中の番組録画要求を行なうときの動作を説明するために示すフローチャート。
【図１８】同番組録画要求動作における録画設定画面の一例を説明するために示す図。
【図１９】同デジタルテレビジョン受信機における視聴中の番組録画要求に基づく録画動作を説明するために示すフローチャート。
【図２０】同デジタルテレビジョン受信機における視聴中の番組録画要求に基づく録画動作を説明するために示すタイミング図。
【図２１】同実施の形態の変形例を説明するために示すブロック構成図。
【図２２】同実施の形態の他の変形例を説明するために示すブロック構成図。
【図２３】同実施の形態のさらに他の変形例を説明するために示すブロック構成図。
【符号の説明】
１１…デジタルテレビジョン受信機、１２ａ，１２ｂ…ケーブル、１３…ＶＴＲ、１４…衛星アンテナ、１５…チューナ、１６…エラー訂正回路、１７…スクランブル制御回路、１８…多重データ分離回路、１９…コントロール制御回路、２０…ＭＰＥＧ映像再生回路、２１…ＭＰＥＧ音声再生回路、２２…ＯＳＤ回路、２３，２４…スイッチ、２５…ＣＲＴ、２６…スピーカ、２７…スイッチ、２８…映像出力端子、２９…スイッチ、３０…音声出力端子、３１…リモートコントローラ、３２映像出力端子、３３…音声出力端子、３４…モニタ、３５…スピーカ、３６…ＨＤＤ、３７…ディスク記録再生装置、３８…光ディスク、３９…ＨＤＤ。
【図１】
2004363804.tif 000003
【図２】
2004363804.tif 000004
【図３】
2004363804.tif 000005
【図４】
2004363804.tif 000006
【図５】
2004363804.tif 000007
【図６】
2004363804.tif 000008
【図７】
2004363804.tif 000009
【図８】
2004363804.tif 000010
【図９】
2004363804.tif 000011
【図１０】
2004363804.tif 000012
【図１１】
2004363804.tif 000013
【図１２】
2004363804.tif 000014
【図１３】
2004363804.tif 000015
【図１４】
2004363804.tif 000016
【図１５】
2004363804.tif 000017
【図１６】
2004363804.tif 000018
【図１７】
2004363804.tif 000019
【図１８】
2004363804.tif 000020
【図１９】
2004363804.tif 000021
【図２０】
2004363804.tif 000022
【図２１】
2004363804.tif 000023
【図２２】
2004363804.tif 000024
【図２３】
2004363804.tif 000025